(57)【特許請求の範囲】
【請求項１】
ブラシ（５）を含むアプリケータ（３）を有する装置（１）であって、
前記ブラシは、
・１つに捩じられた抵抗器ワイヤの少なくとも２つのブランチ（１１、１２）から形成されたコア（１０）と、
・前記コア（１０）によって担持された剛毛（１３）と、
・電流が前記コア（１０）を通じて流れている間に前記コア（１０）が熱を放出するような方式によって前記ブランチ（１１、１２）に接続された電源（１７）と、
を有する、装置。
【請求項２】
前記電源（１７）は、独立した電気エネルギー供給源を有する請求項１に記載の装置。
【請求項３】
第１端部において前記捩じられたコア（１０）に接続されたステム（４）と、前記ステム（４）を通過し、且つ、それぞれ、前記コア（１０）の前記２つのブランチに接続された２つの導電体（１５）と、を含む請求項１又は２に記載の装置。
【請求項４】
前記ブラシ（５）の前記コア（１０）に接続されるべく構成された２つの電気コネクタ（１６）を含む請求項３に記載の装置。
【請求項５】
前記ステム（４）は、前記電気コネクタ（１６）上においてオーバーモールドされる請求項４に記載の装置。
【請求項６】
前記抵抗器ワイヤは、電気絶縁されている表面を有する請求項１〜５のいずれか一項に記載の装置。
【請求項７】
前記抵抗器ワイヤは、電気絶縁されていない表面を有する請求項１〜５のいずれか一項に記載の装置。
【請求項８】
前記コア（１０）は、左に捩じられている請求項１〜７のいずれか一項に記載の装置。
【請求項９】
前記抵抗器ワイヤは、非磁性ニッケル及びクロミウム合金、銅及びニッケル合金、又は鉄−ニッケル−アルミニウムもしくは鉄−クロミウム−アルミニウム合金から製造されたワイヤから選択される請求項１〜８のいずれか一項に記載の装置。
【請求項１０】
塗付する化粧用組成物（Ｐ）を収容する容器（２）を含み、前記アプリケータ（３）は、前記容器（２）上において固定されるように構成される請求項１〜９のいずれか一項に記載の装置。
【請求項１１】
少なくとも１つの剛毛（１３）は、温度に伴って色が変化する材料から製造される請求項１〜１０のいずれか一項に記載の装置。
【請求項１２】
前記アプリケータ（３）は、ハンドル（６）を含み、且つ、前記独立した電気エネルギー供給源は、前記ハンドル内に収容される請求項２に記載の装置。
【請求項１３】
前記ブラシ（５）の動作温度は、２５℃〜１２５℃の範囲内である請求項１〜１２のいずれか一項に記載の装置。
【請求項１４】
前記ブラシ（５）を化粧用組成物を収容する容器（２）内に浸漬することにより、前記ブラシに化粧用組成物（Ｐ）が付着され、前記容器には、前記ブラシを拭うためのワイパ部材（７）が提供される請求項１０に記載の装置。
【請求項１５】
前記アプリケータ（３）は、任意選択によってユーザーが加熱を開始できるようにするスイッチ（２０）を含む請求項１〜１４のいずれか一項に記載の装置。
【発明の詳細な説明】
【技術分野】
【０００１】
本発明は、化粧用組成物を人間の微細な角質繊維に塗布すると共に／又は前記繊維を結合させる装置を提供し、この装置は、熱を放出するブラシを具備したアプリケータを含む。
【背景技術】
【０００２】
化粧用組成物を従来の櫛又はブラシによって睫毛に塗布した後に、睫毛に施されたメークに最後の仕上げを行うように、具体的には、睫毛を伸長又はカールさせるように、ヒーター部材を含むアプリケータを使用することが知られている。
【０００３】
又、組成物を塗布するべくヒーター部材が提供されたアプリケータを使用することも知られている。この状況においては、組成物は、ヒーター部材との接触状態において固体の形態で堆積されており、ヒーター部材は、組成物を溶解させるのに十分な温度まで昇温される。
【０００４】
又、塗布された組成物のレオロジーを加熱アプリケータを使用して変更することも知られている。
【０００５】
特許文献１（仏国特許第２８５３５０４号明細書）は、組成物を塗布するためのアプリケータ手段として、複数の巻回を具備したコイルの形態で構成されたヒーター抵抗器を、或いは、一変形においては、ヒーター抵抗器によって形成されたコイルの巻回内に少なくとも部分的に差し込まれた複数の巻回の形態で構成された剛毛を使用することを教示している。
【０００６】
この特許文献１（仏国特許第２８５３５０４号明細書）においては、剛毛は、ヒーター抵抗器によって担持されておらず、且つ、前記ヒーター抵抗器は、捩じられた形状ではなく、螺旋状の形状を具備している。
【０００７】
特許文献２（国際公開第９９／２２７８２号パンフレット）は、ヒーターアプリケータのコアをヒーターワイヤによって製造し、且つ、このヒーターワイヤにアプリケータ要素を固定することを教示している。
【０００８】
この特許文献２（国際公開第９９／２２７８２号パンフレット）は、ヒーティングワイヤから製造された捩じられたコアを開示してはおらず、アプリケータ要素は、コアのブランチの間に捕獲されている。
【０００９】
特許文献３（仏国特許出願公開第２９１３３１９号明細書）は、歯の近傍においてアプリケータヘッド内に配設されたヒーター部材を含む化粧用アプリケータを開示している。
【先行技術文献】
【特許文献】
【００１０】
【特許文献１】仏国特許第２８５３５０４号明細書
【特許文献２】国際公開第９９／２２７８２号パンフレット
【特許文献３】仏国特許出願公開第２９１３３１９号明細書
【発明の概要】
【発明が解決しようとする課題】
【００１１】
化粧用組成物を人間の角質繊維に塗布すると共に／又は前記繊維を結合させるための更なる装置を改善するニーズが存在しており、これらの装置は、ヒーター部材を含む。
【課題を解決するための手段】
【００１２】
本発明の目的は、このニーズを充足させることにある。本発明の例示用の実施例は、ブラシを含むアプリケータを有する装置を提供し、前記ブラシは、
・１つに捩じられた抵抗器ワイヤの少なくとも２つのブランチから形成されたコアと、
・コアによって担持された剛毛と、
・電流がコアを通じて流れている間にコアが熱を放出するような方式によってブランチに接続された電源と、
を有する。
【００１３】
ブラシの捩じられたコアは、剛毛のための支持部として、且つ、ヒーター部材として機能可能であり、これにより、例えば、仏国特許第２８５３５０４号明細書におけるように、これら２つの機能を実行するべく巻回を有する２つの別個のコイルを使用する必要性を回避可能である。又、この結果、アプリケータの製造を単純化可能であり、且つ、アプリケータの容積の増大を回避することも可能である。
【００１４】
一例として、ブラシ上における剛毛の位置は、コアのブランチに印加される捩じる力の結果として得られる。
【００１５】
剛毛は、コアによって直接又は間接的に担持可能である。剛毛は、追加の固定ステップを伴うことなしに、コアのブランチの間に捕獲可能である。剛毛は、仏国特許第２８５３５０４号明細書とは異なり、抵抗器ワイヤのブランチによってのみ保持可能である。
【００１６】
コアは、抵抗器ワイヤの捩じられたブランチによって構成可能である。
【００１７】
一例として、電源は、例えば、１つ又は複数の任意選択によって充電式である電池などの独立した電気エネルギー供給源を有する。
【００１８】
アプリケータは、捩じられたコアに第１端部において接続されたステムと、このステムを通じて延在し、且つ、それぞれ、コアの２つのブランチに接続された２つの導電体と、を包含可能である。
【００１９】
アプリケータは、ブラシのコアに接続するための２つの電気コネクタを包含可能である。一例として、ステムは、コネクタ上においてオーバーモールドされる。
【００２０】
抵抗器ワイヤの表面は、電気絶縁可能である。一変形においては、抵抗器ワイヤの表面は、電気絶縁体によって覆われる必要はなく、例えば、剛毛がブランチの間に電気絶縁を提供可能であり、且つ、剛毛を担持しない捩じられた部分をコアが具備する必要はない。
【００２１】
ブラシのコアは、左に捩じることも可能であり、右に捩じることも可能である。
【００２２】
ブラシのコアは、螺旋状のコイルとは異なるものであってよい。
【００２３】
一例として、抵抗器ワイヤは、Ｕ字の形状に折り曲げることが可能であり、且つ、コアのブランチのそれぞれの自由端を前述の電気コネクタのうちの１つのものに挿入可能である。一変形においては、コアの２つのブランチは、２つの別個のワイヤから構成可能である。従って、例えば、コアのそれぞれの端部が前述の電気コネクタのうちの１つのものに挿入された状態において、その反対側の端部により、コアに電力を供給可能である。
【００２４】
一例として、抵抗器ワイヤは、非磁性ニッケル及びクロミウム合金、具体的には、ニクロム（Ｎｉｃｈｒｏｍｅ（登録商標））、銅及びニッケル合金、具体的には、コンスタンタン（Ｃｏｎｓｔａｎｔａｎ（登録商標））、又は鉄−ニッケル−アルミニウムもしくは鉄−クロミウム−アルミニウム合金から製造されたワイヤから選択可能である。
【００２５】
装置は、塗布する化粧用組成物を収容する容器を包含可能であり、且つ、アプリケータは、使用されていない際に容器上に固定されるように構成可能である。
【００２６】
ブラシの少なくとも１本の剛毛は、温度に伴って色が変化すると共に組成物を塗布するための温度に到達したかどうかをユーザーが判定できるようにする視覚的なインジケータを構成可能な材料から製造可能である。
【００２７】
アプリケータは、ハンドルを包含可能であり、且つ、有利には、独立した電気エネルギー供給源をハンドル内に収容可能である。
【００２８】
一例として、ブラシの動作温度は、２５℃〜１２５℃の範囲内であってよい。温度は、ブラシに組成物が付着していない間に、２０℃の環境において、コアの表面に接触することなしに、赤外線温度計によって計測可能である。一例として、ブラシによって提供される加熱により、ワックス又は組成物中に存在するその他の化合物を流体化させ、それらの塗布を容易にすることができる。組成物は、ブラシにより、液体状態において採取可能である。
【００２９】
組成物を収容する容器内にブラシを浸漬することにより、ブラシに組成物を付着させることが可能であり、容器には、ブラシを拭うためのワイパ部材が提供される。
【００３０】
組成物は、ブラシが容器内に浸漬されている間に、且つ、組成物が採取される前に、ブラシによって加熱可能であり、或いは、一変形においては、組成物は、ブラシによって採取された後に、ブラシによって加熱可能である。
【００３１】
アプリケータは、任意選択によってユーザーが加熱を開始できるようにするスイッチを包含可能である。又、加熱は、例えば、容器からアプリケータを取り外し始めた時点などのアプリケータを容器から分離している間に自動的に開始することも可能である。この結果、ブラシがワイパ部材を通過する前に、ブラシの加熱を開始可能であり、これにより、ワイパ部材を通過する際に組成物を更に流体化させることが可能であり、且つ、ブラシ上における組成物の分布の品質を改善可能である。
【００３２】
アプリケータは、例えば、加熱が開始された時点をユーザーが認知できるようにする視覚的なインジケータを構成するものなど、その外側表面上において可視状態にある光源を包含可能である。
【００３３】
本発明においては、捩じられたコア上における剛毛のあらゆる既知の構成を使用可能である。
【００３４】
一例として、ブラシのコアは、剛毛を担持する３〜５０回の巻回を包含可能である。
【００３５】
ブラシは、１回の巻回当たりに５〜８０本の剛毛を、或いは、場合によっては、１回の巻回当たりに１５〜４０本の剛毛を、特に、１０〜５０本の剛毛を包含可能である。１回の巻回当たりの剛毛の数は、ブラシがそのコアを中心として１８０°にわたって回転している間に、静止状態の観察者によって計数される剛毛の端部の数に対応している。
【００３６】
一例として、剛毛を担持するコアの部分の長さは、５ミリメートル（ｍｍ）〜３５ｍｍの範囲内であってよい。
【００３７】
一例として、コアからそれぞれの自由端まで計測される剛毛の長さは、０．１ｍｍ〜１０ｍｍの範囲内であってよい。ブラシのコアは、任意選択により、中央にあってよく、且つ、ブラシの剛毛には、それぞれがコア上の定位置にある間に、機械加工を施すことができる。
【００３８】
アプリケータは、例えば、偏心調速機おもりを回転駆動するディスクモーターなどの振動供給源を包含可能である。
【００３９】
本発明については、その非限定的な実施例に関する以下の説明を参照し、且つ、添付の図面を検討することにより、更に理解することができる。
【図面の簡単な説明】
【００４０】
【図１】本発明の装置の第１実施例を示す長手方向の概略断片断面図である。
【図２】アプリケータの一例を示す。
【図３】本発明の実施例におけるブラシコアを示す。
【図４】本発明の一実施例におけるブラシを示す。
【図５】本発明の一実施例におけるブラシを示す。
【図６】本発明の別の実施例におけるブラシを示す。
【図７】本発明の別の実施例におけるブラシを示す。
【図８】本発明の別の実施例におけるブラシを示す。
【図９】図９は、図８のＩＸ−ＩＸにおける断面図である。
【図１０】本発明の別の実施例におけるブラシを示す。
【図１１】図２のアプリケータの一変形を示す。
【図１２】本発明の別の実施例におけるブラシを示す。
【図１３】本発明の別の実施例における装置を示す。
【発明を実施するための形態】
【００４１】
図１は、化粧用組成物を人間の微細な角質繊維に塗布すると共に／又は前記繊維を結合させる、具体的には、マスカラを睫毛に塗布する装置１の一実施例を示している。
【００４２】
図示のように、装置１は、塗布する化粧用組成物Ｐを収容する容器２を含む。一例として、組成物の配合は、高温における塗布に適合されており、組成物は、熱の供給源に反応する成分を含む。
【００４３】
装置１は、例えば、円形断面のステム４を有するアプリケータ３を含み、このステムは、その遠端４ａにブラシ５が提供されており、且つ、容器２を閉鎖するためのクロージャキャップをも構成しているハンドル６に対して、その近端において接続されている。
【００４４】
図１において観察可能なように、容器２は、ワイパ７を包含可能であり、このワイパは、例えば、エラストマによって製造されると共に容器のネック部８に挿入される部品によって構成されている。ワイパは、任意選択により、従来のものであってもよく、或いは、場合によっては、調節可能であってもよい。
【００４５】
説明対象の実施例においては、ステム４は、長手方向軸Ｘを有し、この軸は、直線的であり、且つ、アプリケータが容器の上部に固定された際に容器２の長手方向軸と一致する。
【００４６】
図示のように、ネック部８は、アプリケータ３を容器２上に固定するべく、ハンドル６の内側のねじ山１９と協働する外側のねじ山１８を包含可能である。
【００４７】
一例として、ハンドル６は、一旦、ネック部８上の定位置にねじ込まれたら、密封された方式によって容器２を閉鎖するべく構成されている。
【００４８】
図示の実施例においては、ワイパ７は、ステム４の直径に実質的に対応した直径を具備する断面が円形のワイパオリフィス９を含む。
【００４９】
以下、図２を参照し、アプリケータ３について更に詳細に説明する。
【００５０】
ブラシ５は、抵抗器ワイヤの１つに捩じられた少なくとも２つのブランチ１１及び１２から形成されたコア１０と、コアによって担持された剛毛１３と、を有する。
【００５１】
一例として、抵抗器ワイヤは、ニクロム（Ｎｉｃｈｒｏｍｅ（登録商標））とも呼ばれる非磁性ニッケル及びクロミウム合金、コンスタンタン（Ｃｏｎｓｔａｎｔａｎ（登録商標））とも呼ばれる銅及びニッケル合金、又は鉄−ニッケル−アルミニウムもしくは鉄−クロミウム−アルミニウム合金から製造されている。一例として、ワイヤの抵抗率は、０．２２５Ω／センチメートル（Ωｃｍ−１）である。
【００５２】
コア１０の抵抗器ワイヤの表面は、任意選択により、電気絶縁体によって覆うことができる。表面は、ワイヤを酸化させることにより、或いは、エナメル加工することにより、電気的に絶縁可能である。
【００５３】
一例として、抵抗器ワイヤの直径は、０．１ｍｍ〜２ｍｍの範囲内であり、例えば、直径は、ブラシの動作温度の関数として選択され、例えば、前記動作温度は、２５℃〜１２５℃の範囲内にある。抵抗器ワイヤの断面は、任意選択により、円形であってよい。
【００５４】
ブラシの製造の際には、剛毛１３は、既知の方式により、例えば、欧州特許出願公開第０６１１１７０号明細書に記述されているように、まだ捩じられていないコア１０のブランチ１１及び１２の間に画定されたギャップの長さに沿って実質的に並んだ状態において配設され、且つ、次いで、コア１０は、図３に示されているように、剛毛１３がコアのブランチ１１及び１２の間において捕獲されるような方式によって捩じられる。
【００５５】
この実施例においては、剛毛は、ブランチ１１及び１２の間において捕獲されることにより、コアのみによって保持されており、更なる固定のステップは不要である。
【００５６】
ブランチを形成するべく、抵抗器ワイヤは、Ｕ字の形状に折り曲げられる。
【００５７】
コア１０は、欧州特許出願公開第０６１１１７０号明細書に教示されているように、左に捩じることができる。又、それぞれ２つの別個のワイヤである２つのブランチを１つに捩じることにより、コアを製造することも可能である。
【００５８】
ブランチは、恐らくは、電源ワイヤに電気的に接続した後に、１つに捩じることができる。
【００５９】
ブランチが１つに捩じられている間に、捩じられていない端部をステムのコネクタ上に容易に取り付けることができるように、且つ、ワイヤの表面が絶縁されていない際にブランチの間の短絡を回避するように、捩じられていない端部を離隔した状態において保持可能である。
【００６０】
図示されてはいない別の変形においては、コアは、右に捩じることができる。
【００６１】
一変形においては、且つ、国際公開第２００７／１２５２０６号パンフレットに記述されているように、ブラシ５は、図４に示されているように、ウエハ３０を使用して製造され、ウエハ３０と一体的に製造された又はウエハに装着された剛毛１３を担持している。一例として、ウエハ３０は、まだ捩じられていないコアの２つのブランチ１１及び１２の間に画定されたギャップに挿入される。次いで、コア１０が捩じられ、これにより、図５に示されているように、ウエハ３０がブランチ１１及び１２の間において保持される。
【００６２】
この結果、剛毛は、更なる固定のステップを伴うことなしに、ブランチ１１及び１２の間に捕獲されることによってのみ保持される。
【００６３】
図６に示されている別の変形においては、且つ、国際公開第２００７／１２５２０７号パンフレットに記述されているように、ブラシは、それぞれの要素内に形成された孔３２を介してまだ捩じられていないコア１０上において摺動する複数の要素３１を含む。それぞれの要素は、その周辺から突出する剛毛１３を担持している。
【００６４】
一例として、コア１０に沿って配設された要素の剛毛１３は、コア１０が捩じられる前に、軸方向においてアライメントされる。コア１０が捩じられた際に、要素の剛毛は、図７に示されているように、剛毛の螺旋状の層を形成するような方式により、相互の関係においてずれた状態となる。
【００６５】
以下、図８〜図１０を参照し、本発明の別の実施例におけるブラシについて説明する。図８及び図９において観察可能なように、コア１０は、米国特許出願公開第２００８／００８３４２１号明細書に記述されているものと同様に、熱可塑性材料から製造されると共に抵抗器ワイヤ３５の周りにおいて剛毛１３と一体的に成型されたシース３３を包含可能である。従って、このようにしてシースが施された抵抗器ワイヤ３５をＵ字の形状に折り曲げ可能であり、次いで、図１０に示されているように、ブランチが１つに捩じられる。シース３３は、抵抗器ワイヤ用の電気絶縁を提供可能である。
【００６６】
図１〜図１０に示されている実施例においては、コア１０は、直線的であるが、本発明は、このような構成に限定されるものではない。図示されてはいない変形においては、コアは、直線的ではなく、例えば、湾曲している。
【００６７】
コア１０は、剛毛を担持可能な又は剛毛とステムの間に配置可能な少なくとも１つの曲がった部分を包含可能である。
【００６８】
任意選択により、例えば、欧州特許出願公開第１８３６９２４号明細書に記述されているように、ブラシ５の遠端をアプリケータ３の長手方向軸Ｘとの関係においてずらすことも可能である。
【００６９】
図示されてはいない一実施例においては、コアは、その長さの一部分にわたって左に捩じられ、次いで、その長さの残りの部分にわたって右に捩じられる。
【００７０】
剛毛１３は、天然又は人工のものであってよく、且つ、例えば、ポリエチレンなどのポリオレフィン、ポリイミド、具体的には、ＰＡ６、ＰＡ６／１０、及びＰＡ６／１２、又は、場合によっては、例えば、ハイトレル（Ｈｙｔｒｅｌ（登録商標））という商標名によって販売されている熱可塑性ポリエステルエラストマ、例えば、ペバックス（Ｐｅｂａｘ（登録商標））という商標名で販売されているポリエーテルブロックアミド、シリコーンゴム、又はポリウレタンから製造可能であるが、これらに限定されるものではない。
【００７１】
剛毛１３は、カーボンによって又は銅などの金属粒子によって充填された、例えば、ポリアミドなどの熱可塑性材料から製造可能である。
【００７２】
剛毛１３は、温度の関数として色を変化させる材料から製造可能である。
【００７３】
ブラシ５は、異なる材料から製造された剛毛の混合物を包含可能である。
【００７４】
一例として、剛毛の直径は、０．０１ｍｍ〜２ｍｍの範囲内にある。
【００７５】
図２に示されているように、２つの導電体１５は、ステム４の内部において延在可能である。
【００７６】
説明対象の実施例においては、その遠端４ａにおいて、ステム４は、コア１０のブランチ１１及び１２の自由端を受け入れるための電気コネクタ１６を含む。一例として、ステム４は、コネクタ１６上においてオーバーモールドされる。一例として、ブランチ１１及び１２は、コネクタ１６内に圧力嵌めされる。取付の際に作用する摩擦によってワイヤの表面絶縁が局所的に除去される可能性がある。又、コネクタ１６は、ブランチ上においてクリンプ処理又ははんだ付けすることも可能である。ブランチは、ステムの熱可塑性材料が前記コネクタ上においてオーバーモールドされる前に、コネクタに固定可能である。
【００７７】
アプリケータ３は、電流がコアを通じて流れている間にコアが熱を放出するような方式によってコア１０のブランチ１１及び１２に接続された電源１７を包含可能である。一例として、電源１７は、独立した電気エネルギー供給源、具体的には、１つ又は複数の充電式電池を有する。
【００７８】
説明対象の実施例においては、電源１７は、ハンドル６内に収容されている。
【００７９】
アプリケータ３は、導電体１５を介して電源１７から選択的にコア１０の抵抗器ワイヤに電力を供給できるようにする電気スイッチ２０を包含可能である。
【００８０】
一例として、且つ、図２に示されているように、スイッチ２０は、ハンドル６の外側表面から突出すると共にその上部をユーザーが押下可能であるボタンによって作動する。
【００８１】
図１１の変形においては、スイッチ２０は、ハンドル６が容器２上に固定されているかどうかに応じて、アプリケータ３が容器２から分離されている間にブラシ５のコア１０に対して自動的に電力が供給されるような方式により、スイッチ２１の軸Ｘに沿った運動の関数として開閉される。
【００８２】
図２及び図１１に示されているように、アプリケータ３は、コア１０の温度を調節するためのレギュレータシステム２３を包含可能であり、レギュレータシステム２３は、例えば、ハンドル６内に収容される。レギュレータシステム２３は、抵抗器ワイヤに供給される電流を時間計測又は遮断可能である。
【００８３】
又、抵抗器ワイヤには、１つ又は複数の電池から直接的にＤＣ電力を供給することも可能であり、ワイヤの抵抗率は、ワイヤが過大な電流を引き出さないが、望ましい温度には到達するように、選択されている。一例として、４００ミリアンペア（ｍＡ）の電流と、約６０℃の温度と、を得るべく、合計で１６センチメートル（ｃｍ）の長さを具備し、且つ、好ましくは、０．５ｍｍに等しい直径を具備した抵抗器ワイヤに電力を供給するように、電気的に直列に接続された２つの１．５ボルト（Ｖ）の電池を使用可能である。
【００８４】
本発明は、前述の実施例に限定されるものではない。
【００８５】
ブラシ５の剛毛１３の自由端によって画定されるエンベロープ表面は、欧州特許出願公開第１８３６９２４号明細書に記述されているように、少なくとも１つのエッジ、切欠き、長手方向又は環状の溝、又は、任意選択によってアプリケータの軸Ｘに対して平行な実質的に平らな面を画定可能である。一例として、最終的なエンベロープ表面は、円筒形の回転エンベロープ表面を具備したブラシブランクを機械加工することによって得られる。
【００８６】
エンベロープ表面は、略ボールの形状を有することが可能であり、且つ、エンベロープ表面の少なくとも一部分、好ましくは、前記エンベロープ表面のすべては、欧州特許出願公開第１９７７６６２号明細書に開示されているように、２０％以内の実質的に球形であってよい。
【００８７】
ブラシは、欧州特許出願公開第１６４９７７７号明細書に記述されているように、相対的に短いものであってよく、且つ、剛毛は、コア１０に沿って計測される０．１ｃｍ〜１ｃｍの範囲の距離にわたって延在可能である。
【００８８】
本発明のブラシは、任意選択により、組成物を塗布するべく使用可能であり、且つ、一例として、具体的には、欧州特許出願公開第１６５２４４９号明細書に記述されているように、微細な角質繊維に施されたメークにユーザーが最後の仕上げを行うことができるようにするツールを構成可能である。一例として、ブラシは、２つのブランチを具備したツールの１つのブランチの端部に取り付けられ、もう１つのブランチは、例えば、射出成型された櫛を担持している。
【００８９】
図１２の実施例においては、アプリケータ３は、ハイブリッドアプリケータであり、即ち、これは、アプリケータ部材を含み、このアプリケータ部材は、
・前述のように抵抗器ワイヤから製造されると共に剛毛１３を担持する捩じられたコアを含むブラシ５と、
・熱可塑性材料又は金属から製造され、ブラシ５に固定され、且つ、例えば、アプリケータ上にブラシを保持するべく使用される支持部４０と、
を有する。
【００９０】
支持部４０は、コアのための電力供給導体を包含可能である。
【００９１】
支持部４０は、支持部と共に一体的に成型されたアプリケータ要素４１を担持可能である。
【００９２】
一例として、支持部４０は、それぞれの近端及び遠端において１つに接続されると共に歯４１を担持するブランチ４３を有することが可能であり、且つ、ブラシ５のコアは、ブランチ４３の間に延在可能である。一例として、ハイブリッドアプリケータは、仏国特許出願公開第２９１６３２８号明細書に記述されている。
【００９３】
図１３の実施例においては、ステム４は、アプリケータ３が容器２内に完全に配設される保存位置と、ブラシ５が少なくとも部分的に容器２から突出する動作位置と、の間においてスプリング６０の動作に抗して運動可能であり、容器は、ハンドルとして機能する。
【００９４】
本発明は、図示の実施例に限定されるものではない。一例として、アプリケータは、熱を供給するだけでなく、振動又は回転を供給することも可能である。
【００９５】
「１つの〜を有する」という表現は、特記されない限り、「少なくとも１つの〜を有する」と同義であるものと理解されたい。
【図１】
0005730865.tif 000002
【図２】
0005730865.tif 000003
【図３】
0005730865.tif 000004
【図４】
0005730865.tif 000005
【図５】
0005730865.tif 000006
【図６】
0005730865.tif 000007
【図７】
0005730865.tif 000008
【図８】
0005730865.tif 000009
【図９】
0005730865.tif 000010
【図１０】
0005730865.tif 000011
【図１１】
0005730865.tif 000012
【図１２】
0005730865.tif 000013
【図１３】
0005730865.tif 000014